(57)【要約】【課題】副メガネフレームの副枠を回動させたときに、副枠のレンズが前方の障害物にぶつからないメガネフレームを提供する。【解決手段】一対の主枠３、３、両主枠３、３の内縁部間に連結されるブリッジ４、各主枠３の外縁部に連結されるヨロイ５、各ヨロイ５に回動自在に連結されるテンプル９等からなる主メガネフレーム２と、主メガネフレーム２の前面側に取り付けられる副メガネフレーム１２とを備える。副メガネフレーム１２は、各ヨロイ５に回動機構１５を介して取り付けられ、各主枠３の前面と側面との間を回動自在な副枠１３を有する。【選択図】　　　　図１
2004117977.tif 000002
【特許請求の範囲】
【請求項１】
一対の主枠、両主枠の内縁部間に連結されるブリッジ、各主枠の外縁部に連結されるヨロイ、各ヨロイに回動自在に連結されるテンプル等からなる主メガネフレームと、該主メガネフレームの前面側に取り付けられる副メガネフレームとを備えたメガネフレームであって、前記副メガネフレームは、前記各ヨロイに回動機構を介して取り付けられて、前記各主枠の前面と側面との間を回動自在な副枠を有していることを特徴とするメガネフレーム。
【請求項２】
前記回動機構は、前記各副枠に連結されるアームと、該アームを前記各ヨロイに回動自在に連結する連結ピンと、前記アームの回動角度を制限するストッパーとからなることを特徴とする請求項１に記載のメガネフレーム。
【発明の詳細な説明】
【０００１】
【発明の属する技術分野】
本発明は、メガネフレームに関し、特に、主メガネフレームと副メガネフレームとを備えたメガネフレームに関するものである。
【０００２】
【従来の技術】
従来、主メガネフレームと副メガネフレームとからなるメガネフレームの一例として、主メガネフレームの前面側に蝶番を介して副メガネフレームを跳ね上げ自在に取り付けたものが一般に知られている。
【０００３】
【発明が解決しようとする課題】
しかしながら、上記のような構成の従来の跳ね上げ式のメガネフレームにあっては、副メガネフレームを主メガネフレームの前面側で跳ね上げた場合に、副メガネフレームに保持したレンズが前方に位置する障害物にぶつかる虞があるため、主メガネフレームを跳ね上げる際には周囲に注意を払う必要がある。また、副メガネフレームを跳ね上げた場合に、副メガネフレームの重みによってメガネフレーム全体が装着位置からずり落ちてしまう。さらに、副メガネフレームを跳ね上げたスタイルが野暮な感じを与えるため、男性等の特定の消費者にしか受け入れられない。さらに、副メガネフレームを跳ね上げて主メガネフレームのレンズのみを使用する場合に、側方からの光を遮ったり、側方からの塵を遮ったりすることができない。さらに、主枠と副枠の上部間を蝶番で連結しているため、副枠のレンズに半分のもの（老眼鏡等の半掛けレンズ）を使用することができない。
【０００４】
本発明は、上記のような従来のもののもつ問題を解決したものであって、副メガネフレームを跳ね上げた場合に、副メガネフレームのレンズが前方の障害物にぶつかる虞がなく、また、副メガネフレームを跳ね上げた場合に、副メガネフレームのレンズの重みによってメガネフレーム全体が装着位置からずり落ちるようなことがなく、さらに、スタイルが幅広い層の消費者に受け入れられ、さらに、側方からの光、塵を遮ることができ、そして、老眼鏡等の半掛レンズでも副メガネフレームのレンズとして使用することができるメガネフレームを提供することを目的とするものである。
【０００５】
【課題を解決するための手段】
上記のような課題を解決するために、本発明の請求項１に係る発明は、一対の主枠、両主枠の内縁部間に連結されるブリッジ、各主枠の外縁部に連結されるヨロイ、各ヨロイに回動自在に連結されるテンプル等からなる主メガネフレームと、該主メガネフレームの前面側に取り付けられる副メガネフレームとを備えたメガネフレームであって、前記副メガネフレームは、前記各ヨロイに回動機構を介して取り付けられて、前記各主枠の前面と側面との間を回動自在な副枠を有している手段を採用したものである。また、請求項２に係る発明は、請求項１に記載のメガネフレームにおいて、前記回動機構は、前記各副枠に連結されるアームと、該アームを前記各ヨロイに回動自在に連結する連結ピンと、前記アームの回動角度を制限するストッパーとからなる手段を採用したものである。
【０００６】
【作用】
本発明は、上記のような手段を採用したことにより、副メガネフレームの各副枠は、主メガネフレームの各主枠の前面と側面との間を回動機構を介して回動自在となり、各主枠の前面側に回動した際には、各副枠側のレンズによって各主枠側のレンズの前面側が遮蔽され、各主枠の側面側に回動した際には、各副枠側のレンズは各主枠側のレンズに対して略直交状態で位置し、側方からの光、塵等が遮られることになる。
【０００７】
【発明の実施の形態】
以下、図面に示す本発明の実施の形態について説明する。
図１〜図３には、本発明によるメガネフレームの一実施の形態が示されていて、このメガネフレーム１は、主メガネフレーム２と主メガネフレーム２に取り付けられる副メガネフレーム１２とを備えている。
【０００８】
主メガネフレーム２は、一対の環状の主枠３、３、両主枠３、３の内縁部間に連結されるブリッジ４、各主枠３の外縁部に連結されるヨロイ５、各ヨロイ５に蝶番１０を介して回動自在に連結されるテンプル９等の複数の部品から構成されるものであって、各主枠３の内径側にレンズ１１が保持されるようになっている。
【０００９】
各ヨロイ５は、一方の片６と他方の片７とからなる略Ｌ形状をなすものであって、一方の片６が各主枠３の外縁部に溶接等により一体に連結され、他方の片７に蝶番１０の可動片又は固定片が溶接等により一体に連結され、一方の片６と他方の片７との境界部に位置する角部８の外面側に後述する回動機構１５の受け部１６が一体に設けられるようになっている。
【００１０】
副メガネフレーム１２は、一対の環状の副枠１３、１３を有し、各副枠１３の内径側にレンズ１４が保持されるようになっている。各副枠１３は、主メガネフレーム２の各主枠３とほぼ同じ大きさ、形状の環状に形成され、主メガネフレーム２の各ヨロイ５に回動機構１５を介して回動自在に連結されるようになっている。
【００１１】
回動機構１５は、各ヨロイ５の角部８の外面側に一体に設けられるとともに、上面側に係合溝１７が形成される断面凹形状の受け部１６と、受け部１６の係合溝１７内に一端部が回動自在に係合されるアーム１９と、アーム１９の一端部を受け部１６の係合溝１７内に回動自在に連結する連結ピン２２とから構成されるものであって、アーム１９の他端部に副枠１３が一体に連結されるようになっている。
【００１２】
受け部１６の係合溝１７は、各ヨロイ５の一方の片６又は他方の片７と所定の角度を成すように、受け部１６の上面側に長手方向に貫通した状態で設けられ、この係合溝１７の底面側は、アーム１９の回動角度、すなわちアーム１９に連結される副枠１３の回動角度を制限するストッパー１８として機能するようになっている。すなわち、アーム１９の一方の側面をストッパー１８に当接させることにより、アーム１９（副枠１３）の一方（主枠３の前面側）への回動角度が制限され、アーム１９の他方の側面をストッパー１８に当接させることにより、アーム１９（副枠１３）の他方（主枠３の側面側）への回動角度が制限されるものである。
【００１３】
アーム１９は、一方の片２０と他方の片２１とからなる略Ｌ形状をなすものであって、一方の片２０の端部が受け部１６の係合溝１７内に回動自在に係合され、他方の片２１の端部に副枠１３の外縁部が一体に連結され、一方の片２０の一方の側面及び他方の側面が係合溝１７の底面であるストッパー１８に当接するようになっている。
【００１４】
アーム１９は、一方の片２０を受け部１６の係合溝１７内に係合させた状態で、他方の片２１がヨロイ５の一方の片６又は他方の片７と略平行となるように、一方の片２０と他方の片２１とのなす角度が設定されている。すなわち、ヨロイ５に連結される主枠３とアーム１９に連結される副枠１３とが略平行となるように、又はヨロイ５に連結されるテンプル９とアーム１９に連結される副枠１３とが略平行となるように、一方の片２０と他方の片２１とのなす角度が設定されている。
【００１５】
連結ピン２２は、頭部と、頭部の底面側に一体に設けられる脚部とからなるものであって、係合溝１７と直交する方向から受け部１６を貫通する孔、アーム１９を貫通する孔及びヨロイ５の角部８を貫通する孔に脚部を挿通させ、脚部の先端部をヨロイ５の角部８の孔にネジ、溶接等の手段により固着させることで、アーム１９を係合溝１７内に回動自在に連結することができるものである。
【００１６】
そして、上記のように構成した主メガネフレーム２の各主枠３の内径側にレンズ１１を保持し、副メガネフレーム１２の各副枠１３の内径側にレンズ１４を保持することで、この実施の形態によるメガネフレーム１が構成され、主メガネフレーム２の主枠３の前面側と側面側（テンプル９の側面側）との間を副メガネフレーム１２の各副枠１３が回動自在となり、各副枠１３のレンズ１４で各主枠３のレンズ１１を遮蔽したり、各副枠１３のレンズ１４を各主枠３のレンズ１１から退避させたりすることができるものである。
【００１７】
上記のように構成したこの実施の形態によるメガネフレーム１にあっては、副メガネフレーム１２の各副枠１３は、各ヨロイ５の角部８に回動機構１５を介して回動自在に連結され、一方に回動したときに各主枠３の前面側を遮蔽し、他方に回動したときにテンプル９の側面に各主枠３に略直交状態で位置することになる。
【００１８】
従って、従来のもののように、副枠１３のレンズ１４が前方の障害物にぶつかる虞はなく、副枠１３を回動させる際に周囲の障害物に注意を払う必要がなくなる。また、副枠１３を回動させてテンプル９の側面側に位置させた場合に、副枠１３のレンズ１４による重みは主としてテンプル９側に加わることになるので、副枠１３のレンズ１４の重みによってメガネフレーム１全体が装着位置からずり落ちることはないものである。さらに、副枠１３がテンプル９の側面側に位置する斬新なスタイルが得られるので、幅広い層の消費者に受け入れられることが期待できる。さらに、副枠１３のレンズ１４を主枠３のレンズ１１から退避させた場合に、副枠１３のレンズ１４はテンプル９の側面側（主枠３のレンズ１１と直交する位置）に位置することになるので、側方からの光、塵等を遮る効果を期待することもできる。さらに、副枠１３は、各ヨロイ５に回動機構１５を介して回動自在に連結されているので、老眼鏡等の半掛レンズでも副枠１３の内径側に十分に保持することができることになる。
【００１９】
【発明の効果】
本発明は、前記のように構成して、副メガネフレームの副枠を各ヨロイに回動機構を介して取り付け、各主枠の前面と側面との間を回動自在としたことにより、副枠を回動させる際に副枠のレンズが前方の障害物にぶつかる虞はなく、周囲の障害物に注意を払う必要がなくなる。また、副枠を回動させて主枠の側面側に位置させたときに、副枠のレンズによる重みは主としてテンプル側に加わることになるので、副枠のレンズの重みによってメガネフレーム全体が装着位置からずり落ちることはない。さらに、副枠が主枠の側面側に位置する斬新なスタイルが得られるので、幅広い層の消費者に受け入れられることが期待できる。さらに、副枠のレンズを主枠の側面側に位置させることにより、側方からの光、塵等を遮る効果を期待することができる。さらに、副枠は、各ヨロイに回動機構を介して連結されているので、老眼鏡等の半掛レンズでも副枠の内径側に十分に保持することができ、汎用性を高めることもできる。
【図面の簡単な説明】
【図１】本発明によるメガネフレームの一実施の形態の全体を示した斜視図であって、副メガネフレームの各副枠が主メガネフレームの主枠の前面側に位置する状態を示した説明図である。
【図２】本発明によるメガネフレームの一実施の形態の全体を示した斜視図であって、副メガネフレームの各副枠が主メガネフレームの主枠の側面側に位置する状態を示した説明図である。
【図３】図１の部分拡大図である。
【符号の説明】
１……メガネフレーム
２……主メガネフレーム
３……主枠
４……ブリッジ
５……ヨロイ
６……一方の片
７……他方の片
８……角部
９……テンプル
１０……蝶番
１１……レンズ
１２……副メガネフレーム
１３……副枠
１４……レンズ
１５……回動機構
１６……受け部
１７……係合溝
１８……ストッパー
１９……アーム
２０……一方の片
２１……他方の片
２２……連結ピン
【図１】
2004117977.tif 000003
【図２】
2004117977.tif 000004
【図３】
2004117977.tif 000005